(57)【要約】脱毛装置（１）において、脱毛装置（１）のハウジング（２）は、脱毛テープ（１１）の供給（１０）を含み、前記脱毛テープ（１１）を加熱するための加熱装置（２５）と、人の皮膚に前記加熱された脱毛テープ（１１）を適用するための適用ローラー（４０）とが設けられ、加えて、異なった適用長さを所望どおりに決定するように設計された決定装置（４５）が設けられ、前記脱毛テープは、脱毛テープ（１１）の適用の後前記適用長さに沿って人の前記皮膚に付着する。
2005535401.tif 000002
【特許請求の範囲】
【請求項１】
脱毛テープの供給を収容するように設計され、前記脱毛テープは、前記供給から引き離されることができ、人の皮膚に適用されることができ、前記脱毛テープは、人の前記皮膚への適用の後、適用長さに沿って前記皮膚に付着する、ハウジングと、
前記脱毛テープを人の前記皮膚に適用するための適用手段と、
人の前記皮膚へ前記脱毛テープを通過させるように設計された前記ハウジングの開口と、
前記脱毛テープが人の前記皮膚に付着する前記適用長さを決定するための決定手段と、
を有し、
前記決定手段は異なった適用長さを所望どおりに決定するように設計される、脱毛装置。
【請求項２】
請求項１に記載の脱毛装置において、
前記決定手段は、手動の制御ボタンと、一方では前記制御ボタンと相互作用し、他方では前記供給と相互作用するブロック手段とを備え、前記制御ボタンは、第１の位置と第２の位置との間で移動されることができ、
前記制御ボタンがその第１の位置にあるときには、前記ブロック手段は、前記供給からの脱毛テープの引き離しを可能にする解放位置をとり、
前記制御ボタンがその第２の位置にあるときには、前記ブロック手段は、前記供給からの脱毛テープのいかなる引き離しもブロックするブロック位置をとる、
脱毛装置。
【請求項３】
請求項１に記載の脱毛装置において、
前記適用手段は、前記ハウジングの前記開口の領域に配置される適用ローラーを有する、脱毛装置。
【請求項４】
請求項３に記載の脱毛装置において、
切断装置が設けられ、当該切断装置は、前記適用ローラーに隣接して配置され、前記適用ローラーを既に通過した脱毛テープの領域で前記脱毛テープを切り離すように設計される、脱毛装置。
【請求項５】
請求項２に記載の脱毛装置において、
脱毛テープの前記供給は、供給リールに巻き付けられた供給スプールを形成するように巻かれ、
前記ブロック手段は、前記供給リールと相互作用する、脱毛装置。
【請求項６】
請求項５に記載の脱毛装置において、
前記供給リールに加えて、前に人の前記皮膚に付着した脱毛テープを巻き上げるように設計された巻上げリールが設けられる脱毛装置。
【請求項７】
請求項６に記載の脱毛装置において、
前記ハウジングに収容されたモータが設けられ、
駆動接続が前記モータと前記巻上げリールとの間に設けられ、これにより、前記巻上げリールが前記モータの助けにより前に人の前記皮膚に付着した脱毛テープを巻き上げるように回転可能に動作させられることができる、脱毛装置。
【請求項８】
請求項７に記載の脱毛装置において、
中断可能な駆動接続が前記モータと前記巻上げリールとの間の前記駆動接続として設けられ、
前記駆動接続を中断するための手段が設けられる、脱毛装置。
【請求項９】
請求項８に記載の脱毛装置において、
前記駆動接続を中断するための前記手段は、手動の制御ボタンを有し、当該制御ボタンの作動を通じて前記駆動手段が中断されることができる、脱毛装置。
【発明の詳細な説明】
【技術分野】
【０００１】
本発明は、脱毛テープの供給を収容するように設計され、前記脱毛テープは、前記供給から引き離されることができ、人の皮膚に適用されることができ、前記脱毛テープは、人の前記皮膚への適用の後、適用長さに沿って前記皮膚に付着する、ハウジングと、前記脱毛テープを人の前記皮膚に適用するための適用手段と、人の前記皮膚へ前記脱毛テープを通過させるように設計された前記ハウジングの開口と、前記脱毛テープが人の前記皮膚に付着する前記適用長さを決定するための決定手段とを有する脱毛装置に関する。
【背景技術】
【０００２】
上記第１段落に挙げられる一般的な種類の脱毛装置は、ヨーロッパ特許第０７３８４８２Ｂ１号から知られている。この既知の装置は、長方形で概ね立方形のハウジングを備えており、このハウジングは、当該ハウジングの長手方向に対して直角に伸びる側に、人の皮膚へ加熱された脱毛テープを通過させるための開口を持ち、当該ハウジング内で当該ハウジングの長手方向に平行に調整されることができるシャシを備え、このシャシには、前記脱毛テープの供給リール及び前記脱毛テープの巻上げリールが回転可能に取り付けられ、このシャシには、加えて、ブロック形の加熱装置が配置され、この加熱装置の助けにより、脱毛テープは加熱されることができ、この加熱装置は、同時に、加熱された脱毛テープを人の皮膚に適用するための適用手段と、適用長さを決定するための決定手段とを形成する。シャシの助けにより、適用手段及び決定手段として用いられる加熱装置は、ハウジングの開口の領域に持ってこられることができ、この結果、加熱された脱毛テープを人の皮膚に押し付けるための押し付け面を備えた加熱装置の助けにより、押し付け面の大きさに実質的に対応した脱毛テープの部分が、人の皮膚に押し付けられることができ、そしてこのように、人の皮膚と粘着的に接続させられることができる。加熱装置の助けによりあらかじめ加熱された、人の皮膚とアクティブな接続をさせられた脱毛テープであって、当該脱毛テープに供給されている脱毛ワックスは加熱されていたため当該脱毛ワックスが軟化しており、従って、毛を封入することが可能である、脱毛テープは、人の皮膚への付着の最中に冷えて、脱毛ワックスの冷却が起こり、この結果、脱毛テープ上の封入された毛の保持が、脱毛ワックスの助けにより起こる。冷却が充分になったら、脱毛ワックスの助けにより脱毛テープに保持された毛を含む脱毛テープは、人の皮膚から可能な限り速く（即ち急激に引く運動（jerking movement）により）引き離され、この結果、人の皮膚からの保持された毛の除去が起こる。
【０００３】
既知の装置においては、適用手段及び決定手段として用いられる加熱装置の押し付け面のデザインが、脱毛テープが人の皮膚に付着する適用長さを決定する。加熱装置が、脱毛テープが人の皮膚に付着する適用長さを決定するための決定手段を同時に形成するという事実と、加熱装置が、その大きさに関して固定された仕様の押し付け面を有するという事実とにより、既知の脱毛装置の場合、１つの長さの適用長さしか実現されることができないという状況が、存在する。この結果、既知の脱毛装置は、より大きい皮膚領域を脱毛するためには、連続して複数回人の皮膚の隣接した皮膚領域とアクティブに接続させられなければならず、冷えた脱毛テープの人の皮膚からの除去処置のそれぞれの際に、痛みの感覚が発生し、これは、既知の脱毛装置を用いている人にとって不快であり不利である。これは、比較的長い脱毛処置も生じさせる。
【発明の開示】
【発明が解決しようとする課題】
【０００４】
本発明の目的は、上述した不利な状況を防止し、改善された脱毛装置を実現することである。
【課題を解決するための手段】
【０００５】
上述した目的を達成するために、本発明による特徴が本発明の脱毛装置に提供され、本発明による脱毛装置は以下に述べられる態様で特徴付けられることができる。
【０００６】
脱毛テープの供給を収容するように設計され、前記脱毛テープは、前記供給から引き離されることができ、人の皮膚に適用されることができ、前記脱毛テープは、人の前記皮膚への適用の後、適用長さに沿って前記皮膚に付着する、ハウジングと、前記脱毛テープを人の前記皮膚に適用するための適用手段と、人の前記皮膚へ前記脱毛テープを通過させるように設計された前記ハウジングの開口と、前記脱毛テープが人の前記皮膚に付着する前記適用長さを決定するための決定手段とを有し、前記決定手段は異なった適用長さを所望どおりに決定するように設計される、脱毛装置。
【０００７】
本発明による特徴の提供を通じて、単純な態様で、小さい追加の費用のみで、本発明の脱毛装置によって実現されるべき、１つの適用長さだけではなく多数の異なった適用長さの可能性が作られ、これにより、特定の長さの脱毛されるべき皮膚の各部分が１回の脱毛処置によって脱毛されることができるようになり、適用長さは、脱毛されるべき皮膚の部分の長さと対応するように特定のユーザによって選択される。これは、比較的大きな長さの脱毛されるべき皮膚の部分が、もはや複数の連続した脱毛処置で脱毛される必要はなく、１回の脱毛処置で脱毛されることができるという大きな利点を生じさせ、これは、ユーザがこの１回の脱毛処置の間しか痛みの感覚を経験しないという利点を生じさせ、比較的長い適用長さに亘ってユーザの皮膚に付着している脱毛テープを除去するときに発生するこの痛みの感覚は、有利に、比較的短い適用長さだけに沿ってユーザの皮膚に付着している脱毛テープを除去するときよりも高くない。なぜなら、試験調査において確かめられたように、人によって知覚される痛みの感覚は、適用長さには依存しないからである。本発明による脱毛装置において、全脱毛処置（例えば脚の脱毛）が、既知の脱毛装置によって可能であるよりも相当に速く行われることができるという他の利点が達成される。本発明による脱毛装置による他の利点は、比較的長い適用長さに沿った人の皮膚への脱毛テープの適用によって、多くの場合、脱毛テープ上の脱毛ワックスで毛を封入するための比較的長い封入時間が達成されることができるという事実にあり、これは良好な脱毛結果に関して有利である。
【０００８】
本発明による脱毛装置において、所望の異なった適用長さを決定するための決定手段は、例えば、互いから或る距離離れて設けられた２つの適用ローラーの形であってもよく、これら２つの適用ローラーによって、適用長さが決定されることができ、ここで、２つの適用ローラーの間の距離を変えるための手段が設けられ、これにより、２つの適用ローラーの間の距離を変えることによって、適用長さは、所望されれば、この種類の装置のユーザによって変えられることができる。しかし、特に単純なデザインに関して、本発明による脱毛装置に請求項２に記載の特徴も提供されたら有利であることが判明した。特に単純な、操作上信頼性のあるデザインが、このような態様で達成されることができる。この種類のデザインは、可能な限り単純な操作に関して極めて有利であると判明した。本発明による脱毛装置において、制御ボタンは押しボタンという形をとってもよく、押しボタンが押されることにより該押しボタンがその第１の位置にある状態では、ブロック手段は解放位置をとり、押しボタンが押されないことにより該押しボタンがその第２の位置にある状態では、ブロック手段はブロック位置をとる。しかし、制御ボタンが、２つの位置間でスライドすることができる、その２つの位置のそれぞれにラッチ手段で保持されるスライドボタンという形をとっても極めて有利である。しかし、本発明による脱毛装置において、適用手段を皮膚上へ押し付けることを通じてブロック手段がその解放位置に移動されることによりブロック手段が適用手段の助けにより制御されることができるようなデザインも実現されてもよい。
【０００９】
本発明による脱毛装置において、更に、請求項３に記載の特徴が加えて提供されたら極めて有利であることが判明した。このような態様で、特に単純で容易に実行される脱毛テープの人の皮膚への適用が保証される。しかし、適用手段は、更に、輪（hoop）、スパチュラ又は複数の隣接した同軸ディスクの形で実現されてもよい。
【００１０】
上の段落で説明されたような脱毛装置において、更に、請求項４に記載の特徴が加えて提供されたら極めて有利であることが判明した。その結果、用いられた脱毛テープの分離も脱毛装置自身の助けにより可能にされ、これは、単純な取扱いに関して有利である。しかし、用いられた脱毛テープの分離は、脱毛装置とは分離した切断装置、例えばはさみ又はブレードによって行われてもよいことにも言及しておく。
【００１１】
本発明による脱毛装置において、更に、請求項５に記載の特徴が加えて提供されたら極めて有利であることが判明した。これは、脱毛装置への脱毛テープの単純な導入に関して有利である。更に、これはブロック手段の満足な動作モードに関して有利である。しかし、脱毛テープの供給は、供給リールの代わりに、本発明による脱毛装置の脱毛テープをジグザグに折りたたむことによって形成されるスタックの形で提供されてもよい。
【００１２】
上の段落で説明した脱毛装置において、請求項６に記載の特徴が加えて提供されたら極めて有利であることが判明した。その結果、各脱毛処置の後の用いられた脱毛テープの分離が不必要なデザインが得られ、これは単純な取扱いに関して有利である。
【００１３】
上の段落で説明された脱毛装置において、請求項７に記載の特徴が加えて提供されたら極めて有利であることが判明した。この種類のデザインによって、脱毛テープが人の皮膚から引き離される引き離し力及び引き離し速度はモータトルクによって決定され、従って、一定の引き離し条件が、実際上全ての操作状況において保証されることが有利に達成される。
【００１４】
上の段落で説明された脱毛装置において、請求項８に記載の特徴が加えて提供されたら極めて有利であると判明した。この種類のデザインによって、巻上げリールがモータとは独立して回転させられることができるようにモータと巻上げリールとの間の力のフラックスが中断されることができ、従って、脱毛テープが人の皮膚に適用されると、用いられた脱毛テープは、再び巻上げリールから引き離されることができ、有利に脱毛テープの節約につながることが、有利に達成される。
【００１５】
上の段落で説明した脱毛装置において、請求項９に記載の特徴が加えて提供されたら極めて有利であると判明した。この種類のデザインによって、駆動接続の中断が極めて信頼性があって単純な態様で可能にされることが有利に達成される。
【００１６】
本発明の上述の及び他の側面が以下で説明される。
【発明を実施するための最良の形態】
【００１７】
本発明は、更に、図面に示される実施例を参照して説明されるが、本発明はこれらには限定されない。
【００１８】
図１及び２は、いわゆるワックス脱毛装置である脱毛装置１を示し、この装置によって、ワックスを用いる人の皮膚から毛が除去されることができる。
【００１９】
脱毛装置１は、該脱毛装置１を動作させるときに１つの手で保持されるハウジング２を備えている。ハウジング２は、２つの箇所で曲げられた前壁３、後壁４、第１の側壁５、第２の側壁６及び上壁７を備えている。ハウジング２の底領域８において、脱毛装置１は開口９を備え、この目的は以下でより詳細に説明される。ハウジング２は、脱毛テープ１１の供給１０を収容するように設計されている。
【００２０】
脱毛装置１において、脱毛テープ１１の供給１０は、供給リール１２に巻き付けられる供給スプール１０を形成するように巻かれ、これにより、供給スプール１０が供給１０を形成する。供給リール１２の供給１０全体が使い果たされたら、空の供給リール１２はハウジング２から取り外され、完全な（full）供給スプール１０を備えた新しい供給リール１２がハウジング２に挿入される。脱毛テープ１１は、前面１３及び後面１４を有する。脱毛テープ１１は、前面１３にワックス層を備え、これは図１及び２においては見えない。脱毛テープ１１は、供給スプール１０から引き離されることができ、加熱され、人の皮膚に適用されることができる。人の皮膚に適用された後に、脱毛テープ１１は適用長さＬに沿って人の皮膚に付着する。これは図１に図式的に示される。脱毛テープ１１は、続いて人の皮膚から引き離されることができ、この引き離しの間、毛は人の皮膚から、抜き取られ又は剥ぎ取られて除去される。
【００２１】
供給リール１２は、側壁５及び６の助けにより回転可能に取り付けられるハブ１５と、第１のリールフランジ１６及び第２のリールフランジ１７とを備え、これら２つのリールフランジ１６及び１７は、回転抵抗を伴ってハブ１５に接続される。供給リール１２は、更に、第２のリールフランジと同軸に回転抵抗を伴って接続されたリール歯車１８と、リール歯車１８と同軸に回転抵抗を伴って接続されたエンドレスベルトホイール１９とを備え、この周りにエンドレスベルト２０が配置される。
【００２２】
保護テープ巻上げリール２１は、エンドレスベルト２０の助けにより回転駆動されることができ、これは更に詳細には説明されない。図１の点線によって示される保護テープ２２は、保護テープ巻上げリール２１に巻き付けられることができる。脱毛テープ１１が供給スプール１０に巻き付けられているときは、脱毛テープ１１の前面１３に隣接したワックス層をカバーするために保護テープ２２が設けられ、脱毛テープ１１が供給スプール１０から引き離されると、保護テープ２２はワックス層から分離されることができ、保護テープ巻上げリール２１へ巻き付けられることができる。
【００２３】
脱毛装置１は、そのハウジング２に加熱装置２５を含む。加熱装置２５は、図式的に示される加熱手段２６と、加熱手段２６の助けにより加熱可能である加熱パネル２７とを備え、該加熱パネル２７に沿って脱毛テープ１１が配置されるため、供給スプール１０から引き離され加熱装置２５を通過する脱毛テープ１１は、加熱パネル２７の助けにより加熱され、脱毛テープ１１の前面１３に隣接したワックス層が加熱されることができる。加熱手段２６に電力を供給するために、図式的に示され加熱手段２６に伝導的に接続されている供給回路２８が、ハウジング２に設けられる。
【００２４】
脱毛装置１において、加熱装置２５は、調整可能に取り付けられる。加熱装置２５のために、軸２９の周りを回転するように取り付けられた支持体３０が設けられる。軸２９は、２つの側壁５及び６に取り付けられる。支持体３０は、実質的にＵ字型で、２本の支持アーム３１及び３２並びにこれら２本の支持アーム３１及び３２を互いに接続する支持体ウェブ３３を備えている。保持アーム３４は、一体でキャリアウェブ３３に接続されている。キャリアウェブ３３には更に加熱パネル２７が接続される。加熱手段２６は、保持アーム３４と加熱パネル２７との間に保持される。保持アーム３４からは、制御ラグ３５が突出し、この機能が以下でより詳細に説明される。加熱パネル２７から、該加熱パネル２７の自由端３６の位置で制御アーム３７が突出し、この制御アームには引っ張りばね３８が接続され、この引っ張りばね３８の他方の端はハウジングの後壁４に接続される。
【００２５】
加熱装置２５の助けにより、供給１０即ち供給スプール１０から引き離される脱毛テープ１１は、部分ごとに加熱されることができる。このように加熱することによって、脱毛テープ１１に隣接したワックス層は軟化されるため、ワックス層は、加熱されたワックスが人の皮膚上の毛を封入することができるように粘稠性を帯びる。
【００２６】
脱毛装置１は、更に、加熱された脱毛テープ１１を人の皮膚に適用するための適用手段４０を備えている。適用手段４０は、この場合は適用ローラー４０という形をとる。脱毛テープ１１は、ハウジング２の前壁３から後壁４に至る方向に適用ローラー４０の周りに構成され、この方向は、脱毛装置１の動作中の脱毛装置１の前進運動の方向と反対である。脱毛装置１が動作中であるときの脱毛装置１の前進運動の方向は、図１において矢印４１で示される。適用ローラー４０は、ハウジング２の開口９の領域に構成され、軸２９に回転可能に取り付けられる。これに関し、開口９が設けられ、加熱された脱毛テープ１１が人の皮膚へ通過されることができるように設計される。
【００２７】
押し付けローラー４２が、脱毛テープ１１が間に挿入された状態で適用ローラー４０と相互作用し、この押し付けローラー４２は、脱毛テープ１１が適用ローラー４０に対して穏やかに押し付けられることを保証する。押し付けローラー４２は、用いられた脱毛テープ１１の分離に続いて、脱毛テープ１１の、適用ローラー４０及び押し付けローラー４２を既に通過した部分が、所望されない態様で脱毛装置１のハウジング２の内部に入ることができないことも保証する。
【００２８】
脱毛装置１は、更に切断装置４３を備えており、該切断装置４３は、適用ローラーに隣接して配置され、該切断装置４３は、脱毛テープ１１を、脱毛テープ１１の適用ローラー４０を既に通過した領域で切断するために設けられる。切断装置４３は、用いられた脱毛テープ１１を切り離すように設計された切断ツール４４を有する。用いられた脱毛テープ１１が切り離された後、脱毛テープ１１の短い部分が、脱毛装置１のハウジング２の外の適用ローラー４０の領域に位置する。
【００２９】
脱毛処置の開始時に、適用ローラー４０は、脱毛テープ１１の短い部分が間に挿入された状態で、人の皮膚上に置かれる。続いて、脱毛装置１は、従って適用ローラー４０も、人の皮膚上を矢印４１の方向に移動され、この結果、脱毛テープ１１が供給リール１２から引き離されて加熱装置２５の助けにより加熱され、この結果、加熱された脱毛テープ１１が人の皮膚に適用され、人の皮膚への脱毛テープ１１のこのような適用に続いて、即ち、脱毛装置１がもはや矢印４１の方向に前方移動されないと、脱毛テープ１１は、この場合に決定された適用長さＬの長さに沿って人の皮膚に付着する。
【００３０】
決定手段４５が脱毛装置１に設けられ、脱毛テープ１１が人の皮膚に付着する適用長さＬを決定するように設計される。これに関して、決定手段４５のデザインは、有利に、決定手段４５が所望どおりに異なった適用長さＬを決定するように設計されるように保証される。
【００３１】
脱毛装置１において、決定手段４５は、手動の制御ボタン４６及びブロック手段４７を備え、該ブロック手段４７は、一方では制御ボタン４６と相互作用し、他方では供給１０即ち供給スプールと相互作用する。制御ボタン４６は、図１に示される第１の位置と図１に示されない第２の位置との間で移動されることができるスライドボタン４６として設計され、ここで、制御ボタン４６は、矢印４８の方向に、図１に示されるその第１の位置からその第２の位置に移動されることができる。制御ボタン４６は、ボタンヘッド４９及びボタンスライダ５０を備えている。制御リンク５１がボタンスライダ５０に設けられ、この制御リンク５１は、支持体３０の制御ラグ３５と相互作用するように設計されている。上記のとおり、制御ボタン４６はブロック手段４７と相互作用する。これは、制御リンク５１、制御ラグ３５、加熱装置２５のための支持体３０、加熱パネル２７、制御アーム３７及び制御接続５２を介して起こり、この制御接続５２は図１及び２に図式的にのみ破線で示され、この制御接続５２は、ブロック手段４７と直接相互作用する。この場合、ブロック手段４７は、Ｌ字状の旋回するように取り付けられたブロックレバー４７によって実質的に形成される。制御接続５２は、ブロックレバー４７の第１の端５３に作用する。ブロックレバー４７は、その第２の端５４で、リール歯車１８のトゥーシングと相互作用する。これに関してデザインは、制御ボタン４６が図１に示すようにその第１の位置にある状態で、ブロックレバー４７が、供給スプール１０からの脱毛テープ１１の引き離しを可能にする解放位置をとり、制御ボタン４６が図１に示されないその第２の位置にある状態で、ブロックレバー４７が、供給コイル１０からの脱毛テープ１１のいかなる引き離しもブロックするブロック位置をとる、というものである。
【００３２】
脱毛装置１が使用中でないときには、決定手段４５の制御ボタン４６はその第２の位置にあり、これは図１に示されない。これによって、制御リンク５１は、支持体３０の制御ラグ３５を解放し、このため引張ばね３８は支持体３０を図１に示されないホームポジションに保持し、ここで、加熱パネル２７は、脱毛テープ１１の移送経路の実質的に外に出る。更に、制御アーム３７及び制御接続５２を介して、ブロックレバー４７がそのブロック位置をとって、供給スプール１０からの脱毛テープ１１のあらゆる引き離しをブロックすることが保証される。更に、制御ボタン４６の助けにより、供給回路２８がスイッチオフされ、従って、加熱手段２６に対する電源の供給が起こらないことが保証される。
【００３３】
脱毛装置１のユーザが脱毛装置１を動作させたいと望むと、即ち脱毛処置を行うことを望むと、ユーザは、脱毛装置１を手にとって、図１で示す矢印４８の方向と逆に決定手段４５の制御ボタン４６を押し、その第１の位置にする。その結果、供給回路２８は、制御ボタン４６の助けによりスイッチオンされ、これにより、加熱手段２６にはパワーが供給され、その結果、加熱パネル２７は加熱される。制御ボタン４６をその第１の位置に移動することを通じて、制御ラグ３５は制御リンク５１を介しても作動され、この結果、加熱装置２５のための支持体３０が引張ばね３８の力とは反対に回転して図１に示される位置に移る。その結果、加熱パネル２７は脱毛テープ１１とアクティブに接続するため、脱毛テープ１１の良好な加熱が起こる。制御アーム３７及び制御接続５２を介して、ブロックレバー４７も回転し、ブロックレバー４７が続いてその解放位置をとり、脱毛テープ１１が供給スプール１２から引き離されるのを許可する。ここでユーザが、適用ローラ４０を備えた脱毛装置１を、ハウジング２の外側の適用ローラ４０の領域に配置された脱毛テープ１１の短い部分が間に挿入された状態で、自分の皮膚又は他人の皮膚に置き、続いて、適用ローラー４０が脱毛テープ１１を皮膚に対して押し付ける状態で、脱毛装置１を皮膚に沿って矢印４１の方向に動かしたら、加熱装置２５の助けにより加熱された脱毛テープ１１が、適用ローラー４０の助けにより皮膚に適用される。この適用は、脱毛装置１の決定手段４５の助けにより決定される間だけ行われる。これは即ち、この適用は、決定手段４５の制御ボタン４６がその第１の位置にある限り行われるということを意味する。所望の適用長さＬが到達されたら、脱毛装置１のユーザは、決定手段４５の制御ボタン４６を、制御ボタン４６の図１に示される第１の位置から、矢印４８の方向に、図１に示されないその第２の位置へ移動する。これは、制御リンク５１が制御ラグ３５を解放する結果となり、従って、支持体３０は、引張ばね３８の力により、図１に示される動作位置から、示されないそのホームポジションへ回転する。この結果、ブロックレバー４７は、制御アーム３７及びブロックレバー４７の制御接続５２を介してそのブロック位置に回転し、このブロック位置で、ブロックレバー４７は、供給スプール１０からの脱毛テープ１１のあらゆる引き離しをブロックする。加熱装置２５の加熱手段２６の電源も切られる。従って、これ以上脱毛テープ１１が加熱されることができず、また、これ以上脱毛テープ１１は皮膚に適用されることができない。
【００３４】
加熱された脱毛テープ１１の人の皮膚への適用の間、軟化されたワックスは、当該皮膚の領域にある毛を封入する。続いて、皮膚に適用される脱毛テープ１１は冷える。脱毛テープ１１が冷えた後、適用長さＬに沿って皮膚に前に適用された脱毛テープ１１は、脱毛装置１のユーザによって脱毛装置１の助けにより皮膚から引き離される。これは、供給スプール１０が、ブロックレバー４７の助けにより回転に対して固定されているからである。用いられた脱毛テープ１１の皮膚からの引き剥がし又は速い引き離しに続いて、脱毛装置１のユーザは、切断装置４３を動作させ、この結果、用いられた脱毛テープ１１が分離される。このとき脱毛装置１は、次の脱毛処置用に利用可能である。
【００３５】
図１及び２による脱毛装置１に関して、この脱毛装置１の修正例においては、脱毛テープ１１が人の皮膚への適用の直前に追加の加熱プロセスを受けることができるように、適用ローラー４０及び適切なら押し付けローラー４２も加熱可能なデザインであってよいことも言及しておく。
【００３６】
図３及び４は、他の脱毛装置１を示す。図３及び４による脱毛装置１は、図１及び２による脱毛装置１に部分的に類似したデザインであり、このため、図１及び２による脱毛装置１と異なる特徴だけが以下で詳細に説明される。
【００３７】
図３及び４による脱毛装置１において、決定手段４５の制御ボタン４６が第２の側壁６の領域に設けられる。これによって制御ボタン４６は、ブロックレバー４７と直接相互作用し、この態様はより詳細には説明されない。制御ボタン４６は、図４でその第２の位置に示され、ここで、ブロックレバー４７はそのブロック位置をとり、供給リール１０から脱毛テープ１１のあらゆる引き離しをブロックする。制御ボタン４６は、図４に示されるその第２の位置から、矢印４８の方向と反対に、図４に示されないその第１の位置に移動されることができる。ここで、制御ボタン４６がその第１の位置に位置した状態で、ブロックレバー４７は、その解放位置をとり、供給スプール１０からの脱毛テープ１１の引き離しを可能にする。図３及び４による脱毛装置１において、加熱装置２５の加熱手段２６のための供給回路２８は、制御ボタン４６の助けによってもスイッチオンオフされることができる。加熱装置２５は、図３及び４による脱毛装置１において固定してハウジング２に取り付けられる。
【００３８】
図３及び４による脱毛装置１において、押し付けローラー４２は、加熱装置２５の加熱パネル２７の反対に構成される。
【００３９】
図１及び２による脱毛装置１と比較した図３及び４による脱毛装置１に関する１つの重要な差は、図３及び４による脱毛装置１の場合には巻上げリール６０が供給リール１２に加えて設けられるという事実にある。巻上げリール６０は、前に人の皮膚に付着した脱毛テープ１１を巻き上げるように設計される。巻上げリール６０は、ハブ６１並びに第１のリールフランジ６２及び第２のリールフランジ６３を備えている。リール歯車６４が、第２のリールフランジ６３と同軸に、回転抵抗を伴って接続される。駆動歯車６６が、リール歯車６４のスリーブ形延長部６５に回転可能に取り付けられる。駆動歯車６６とリール歯車６４との間に、図４に示されない単一方向カップリングが設けられる。駆動歯車６６が図３の実線によって表される矢印６７に従って動作させられれば、単一方向カップリングの助けにより力又はトルクの伝達が行われることができる。逆に、駆動歯車６６が図３の破線によって表される矢印６８に従って動作されれば、駆動歯車６６からリール歯車６４への力若しくはトルク伝達が起こらず、又はその結果、巻上げリール６０への力又はトルク伝達が起こらない。
【００４０】
図３及び４による脱毛装置１は、ハウジング２に収容されるモータ６９を備えている。モータ６９は、モータシャフト７０を備えており、第１の歯車７１は回転抵抗を伴って位置する。第１の歯車７１には、第２の側壁６から突出している軸７３の助けにより回転可能に取り付けられる第２の歯車７２が係合する。第２の歯車７２は、駆動歯車６６に係合する。これにより、モータ軸７０、第１の歯車７１、第２の歯車７２、駆動歯車６６、単一方向カップリング（図示せず）及びリール歯車６４を有する駆動接続７４が、モータ６９と巻上げリール６０との間に設けられる。このような態様で、巻上げリール６０はモータ６９の助けにより、前に人の皮膚に付着した脱毛テープ１１を巻き上げるように回転可能に動作させられることができる。これによって、モータ６９と巻上げリール６０との間の駆動接続７４は、駆動歯車６６とリール歯車６４との間の単一方向カップリングを用いて中断されることができる。駆動接続７４を中断するために、この目的に適した手段が設けられる。この場合はこの手段は、手動の制御ボタン４６を構成し、この制御ボタン４６の作動を通じて駆動手段７４が中断されることができる。制御ボタン４６の助けにより、制御ボタン４６が図４に示されないその第１の位置から矢印４８の方向に図４に示されるその第２の位置に移動されたら、モータ６９はスイッチオンされることができ、モータ６９は、巻上げリール６０を駆動するために動作させられる。逆に、制御ボタン４６が、図４に示されるその第２の位置から矢印４８の反対の方向に図４に示されないその第１の位置に移動され、その第１の位置に留まると、モータ６９はスイッチオフされ、モータ６９の制動効果を用いて、第１の歯車７１及び第２の歯車７２並びに駆動歯車６６は回転に対して固定されるが、駆動歯車６６とリール歯車６４との間に設けられる単一方向カップリングの効果によって、リール歯車６４は、巻上げリール６０に前に巻き付けられた脱毛テープ１１を引き離すことによって矢印６８の方向に動作させられることができる。即ち、言い換えれば、巻上げリール６０に既に巻き付けられた脱毛テープ１１は、再び巻上げリール６０から解かれることができる。
【００４１】
図３及び４による脱毛装置１によって脱毛処置を行うために、制御ボタン４６は、図４に示されるその第２の位置から、矢印４８の方向と逆に、図４に示されないその第１の位置に移動され、この結果、ブロックレバー４７はその解放位置に回転し、供給リール１２を解放し、加熱装置２５にパワーが供給され、モータ６９はオフのままである。次に、適用ローラー４０は、図３に示される点Ａの領域で人の皮膚上に配置される。次に脱毛装置１は、皮膚に沿って矢印４１の方向に前進され、ここで、加熱装置２５の助けにより加熱された脱毛テープ１１は、適用ローラー４０の助けにより皮膚に適用される。同時に、既に皮膚に適用された脱毛テープ１１（その一部は図３中で１１Ｕと示される）は、再び、矢印６８に従って巻上げリール６０から解かれる。脱毛テープ１１が所望の長さの適用長さＬにわたって皮膚に適用された途端に、矢印４１に沿った脱毛装置１の前進運動は終了される。次に、制御ボタン４６は、図４に示されないその第１の位置から図４に示されるその第２の位置に、矢印４８の方向に移動され、この結果、ブロックレバー４７はそのブロック位置に回転し、これにより、供給リール１２をブロックして、加熱装置２５にはもはやパワーが供給されず、モータ６９がスイッチオンされる。この結果、巻上げリール６０が比較的高い速度で突然稼動され、この結果、前に皮膚に適用された脱毛テープ１１が人の肌から急激に引く運動により引き離され、これにより人の肌から毛を引き抜く。
【００４２】
図１及び２による脱毛装置１により、そして、図３及び４による脱毛装置１により、適用長さＬの異なった長さが所望どおりに実現されることができるという重要な利点が得られる。図３及び４による脱毛装置１において、特に、人の皮膚に適用される脱毛テープ１１の引き離しが、少なくとも大部分、皮膚に適用される脱毛テープ１１と皮膚から巻上げリール６０に伸びる脱毛テープ１１Ｕの部分との間に存在する引き離し角で起こるという他の重要な利点が得られる。この種類の鋭い引き離し角は、良い脱毛結果を達成することに関する肯定的なパラメータである。
【００４３】
上記した脱毛装置１は、皮膚に適用される前に加熱されなければならないいわゆるホットワックステープを用いる。しかし、本発明による手段は、加熱される必要がないいわゆるコールドワックステープのための脱毛機器においても導入されることができ、従って、この種類の脱毛装置は、加熱装置を必要とすることなく動作させることができる。
【００４４】
上記した脱毛装置１は、フランジ及び円形断面を有するリールハブを有するリールを用いる。しかし、フランジのない、異なったハブ断面（例えば楕円又は多角形断面）を有するリールも用いられてよい。
【図面の簡単な説明】
【００４５】
【図１】本発明の第１の実施例による脱毛装置の図２の線Ｉ−Ｉに沿った部分を概略的に示す。
【図２】図１による脱毛装置の図１の線ＩＩ−ＩＩに沿った部分を概略的に示す。
【図３】本発明の第２の実施例による脱毛装置の図４の線ＩＩＩ−ＩＩＩに沿った部分を概略的に示す。
【図４】図３による脱毛装置の図３の線ＩＶ−ＩＶに沿った部分を概略的に示す。
【図１】
2005535401.tif 000003
【図２】
2005535401.tif 000004
【図３】
2005535401.tif 000005
【図４】
2005535401.tif 000006
【国際調査報告】
2005535401.tif 000007
2005535401.tif 000008